(57)【要約】      （修正有）【課題】カメラ付き携帯端末を利用して安価な個人認証方法を提供する。【解決手段】認証サーバーが表示した記号を携帯端末のカメラで認識し、その記号と携帯端末に個人が設定した情報を元に携帯端末で新たに記号を生成し、その記号を認証サーバーのカメラで認識したものを、認証サーバが個人情報から設定した情報と比較して認証する個人認証方法。【選択図】図２
2006107085.tif 000002
【特許請求の範囲】
【請求項１】
あらかじめ個人が設定した情報を認証サーバーに登録しておき、認証サーバーが任意に生成し認証サーバー用表示画面に表示した記号を携帯端末のカメラで認識し、携帯端末のカメラで認識した記号と携帯端末に個人が設定した情報を元に携帯端末で新たに記号を生成し、その生成された記号を携帯端末の表示画面に表示し、認証サーバーが認証サーバー用カメラにより携帯端末に表示された記号を認識し、その記号と認証サーバーが個人情報から設定した情報を照らし合わせて一致した場合に認証する個人認証方法。
【請求項２】
請求項１において、あらかじめ個人が設定した情報を認証サーバーに複数登録しておき、認証サーバーと携帯端末の認証動作を登録した順番に行うことにより認証する個人認証方法。
【請求項３】
請求項１において、あらかじめ個人が設定した情報を認証サーバーに登録しておき、認証サーバーと携帯端末の認証動作を数回繰り返し、その回数を認証の条件とし、あらかじめ設定しておいた回数であれば認証する個人認証方法。
【請求項４】
請求項１において、あらかじめ個人が設定した情報を認証サーバーに複数登録しておき、認証サーバーと携帯端末の認証動作を複数回繰り返すときに用いる登録した情報の順番と回数を認証の条件とし、あらかじめ設定しておいた回数であれば認証する個人認証方法。
【請求項５】
請求項１〜４において、認証サーバーおよび携帯端末が表示する記号をバーコードまたは複数次元バーコードとした個人認証方法。
【請求項６】
請求項１〜５において、認証サーバーが携帯端末に任意に生成した記号を直接通信により送信し、携帯端末が直接通信によりその記号を受信する個人認証方法。
【請求項７】
請求項１〜６において、携帯端末が認証サーバーへ生成した記号を直接通信により送信し、認証サーバーが直接通信によりその記号を受信する個人認識方法。
【発明の詳細な説明】
【技術分野】
【０００１】
本発明は、携帯端末を使用した個人認証方法に関するものである。
【背景技術】
【０００２】
従来、個人認証方法は、クレジットカードに代表されるように磁気テープを貼付したプラスチックカードによる方法が主流であり、磁気テープに記憶された個人情報をカードリーダーに読み取らせ、それを管理する企業の固有のデータと照合することにより個人を識別している。しかし、カード偽造などの犯罪行為が多発している現状から、近年では偽造し難いＩＣカード化が進められている。
【０００３】
携帯端末を用いた個人認証方法についても多々あるが、インターネットや有料通信回線を用いたものが一般的であり、商業用としての個人認証方法が携帯端末を用いた方法として提案されている。
【０００４】
携帯端末は電話やメールが可能であり、個人情報の流出という面からもセキュリティが高く、最近では指紋による認証方法を使用した携帯端末も出てきており、クレジットカード等よりも盗まれにくい物となっている。
【特許文献１】特開２００１−３１８８９４号公報
【特許文献２】特開２００１−３１９１８６号公報
【発明の開示】
【発明が解決しようとする課題】
【０００５】
従来の方法では、一般的にＩＣカードでの認証等は装置や設備などにコストがかかり個人向けに導入するにはコストがかかりすぎた。また、ＩＣカードリーダーやカード自体が消耗品のため、維持費を無視できない。また、暗証番号等を入力する場合は手の動きなどで暗証番号を盗まれる場合が多く、さらにセキュリティを高めようとすると暗証番号の桁数が大きくなり不便であった。また、インターネット情報網を用いた携帯端末による個人認証方法や顧客管理等に用いる企業のための個人認証方法は、通信料やインターネットサーバー維持費など個人向けに家庭等に導入するにはコストがかかりすぎた。
【課題を解決するための手段】
【０００６】
前記従来の課題を解決するために、本発明は、現在普及しているカメラつきの携帯端末を用いて、カメラにより非接触で認証サーバーから記号を読み取り、暗証番号等の入力を携帯端末によりあらかじめ設定しておいて、認証サーバーから読み取った記号を元に携帯端末により記号を生成し、非接触で認証サーバーに記号を読み取らせることにより個人を認証させるものである。
【０００７】
この方法を用いると、電話番号や電子メールなどの個人情報流出の観点からすでにセキュリティの高い携帯端末で、インターネットや外部メモリーよりダウンロードできるアプリケーションにより認証動作を行なうことでカードの偽造や手元操作を盗まれるのを防ぐことができる。また、認証サーバー側は現在普及し始めている家庭用ホームセキュリティシステム等の一部分として組み合わせることで一般家庭でも認証サーバーとの通信だけの外部への通信費等のかからない安価な簡易個人認証システムが構築できる。
【発明の効果】
【０００８】
本発明の個人認証方法により、現在普及している携帯端末と認証サーバーを用いて通信費等のかからない安価な簡易個人認証システムを提供する。また、個人情報流出の観点からすでにセキュリティの高い携帯端末を用いることにより、カードや暗証番号を入力する個人認証より情報を盗まれる確立が減少し、セキュリティを向上することができる。
【発明を実施するための最良の形態】
【０００９】
第１の発明は、あらかじめ個人が設定した情報を認証サーバーに登録しておき、認証サーバーが任意に生成し認証サーバー用表示画面に表示した記号を携帯端末のカメラで認識し、携帯端末のカメラで認識した記号と携帯端末に個人が設定した情報を元に携帯端末で新たに記号を生成し、その生成された記号を携帯端末の表示画面に表示し、認証サーバーが認証サーバー用カメラにより携帯端末に表示された記号を認識し、その記号と認証サーバーが個人情報から設定した情報を照らし合わせて一致した場合に認証する個人認証方法であり、認証サーバーと現在普及している携帯端末を用いた安価な個人認証システムを構築することができる。
【００１０】
第２の発明は、請求項１において、あらかじめ個人が設定した情報を認証サーバーに複数登録しておき、認証サーバーと携帯端末の認証動作を登録した順番に行うことにより認証する個人認証方法であり、認証サーバーと現在普及している携帯端末を用いた安価な個人認証システムを構築し、登録した順番を条件にいれることにより認証のセキュリティを向上することができる。
【００１１】
第３の発明は、請求項１において、あらかじめ個人が設定した情報を認証サーバーに登録しておき、認証サーバーと携帯端末の認証動作を数回繰り返し、その回数を認証の条件とし、あらかじめ設定しておいた回数であれば認証する個人認証方法であり、認証サーバーと現在普及している携帯端末を用いた安価な個人認証システムを構築し、複数回繰り返すことにより認証のセキュリティを向上することができる。
【００１２】
第４の発明は、請求項１において、あらかじめ個人が設定した情報を認証サーバーに複数登録しておき、認証サーバーと携帯端末の認証動作を複数回繰り返すときに用いる登録した情報の順番と回数を認証の条件とし、あらかじめ設定しておいた回数と順番であれば認証する個人認証方法であり、認証サーバーと現在普及している携帯端末を用いた安価な個人認証システムを構築し、複数回繰り返すことにより認証のセキュリティを向上することができる。
【００１３】
第５の発明は、請求項１〜４において、認証サーバーおよび携帯端末が表示する記号をバーコードまたは複数次元バーコードとした個人認証方法であり、認証サーバーと現在普及している携帯端末を用いた安価な個人認証システムを構築し、かつバーコード表示を用いることにより、認証速度を向上することができる。
【００１４】
第６の発明は、請求項１〜５において、認証サーバーが携帯端末に任意に生成した記号を直接通信により送信し、携帯端末が直接通信によりその記号を受信する個人認証方法であり、認証サーバーと現在普及している携帯端末を用いた安価な個人認証システムを構築し、かつ直接通信（たとえば無線通信や赤外線通信）にて記号等を通信することにより高速な認証が可能である。
【００１５】
第７の発明は、請求項１〜６において、携帯端末が認証サーバーへ生成した記号を直接通信により送信し、認証サーバーが直接通信によりその記号を受信する個人認識方法であり、認証サーバーと現在普及している携帯端末を用いた安価な個人認証システムを構築し、かつ直接通信（たとえば無線通信や赤外線通信）にて記号等を通信することにより高速な認証が可能である。
【００１６】
（実施の形態）
図１は、本発明の個人認証方法の構成図を示すものである。
【００１７】
図２は、認証サーバーと携帯端末での処理のフローチャートである。
【００１８】
１は認証サーバーで、２は認証サーバー用表示画面、３は携帯端末、４は認証サーバー用カメラである。図１において、前記認証サーバー１にあらかじめ個人が設定した情報を登録しておく。なお、この個人が設定した情報を前記携帯端末３から前記認証サーバー用カメラを用いて前記認証サーバー１に登録してもかまわない。
【００１９】
認証動作をスタートすると、前記認証サーバー１が前記認証サーバー用表示画面２に任意に生成した記号Ａ（たとえばバーコードや２次元バーコードなどの複数次元バーコード）を表示させるＮ１。このとき、前記認証サーバー１と前記認証サーバー用表示画面２は有線もしくは無線で通信が可能である。
【００２０】
前記認証サーバー用表示画面２に表示された前記記号Ａを、前記携帯端末３（たとえばカメラつき携帯電話やアプリケーションをダウンロードして実行できる携帯端末）のカメラにて認識するＮ２。カメラで認識した画像をアプリケーションにより解読する。なお、アプリケーションはダウンロードするか前記携帯端末３の機能として当初から付加されていてもかまわない。なお、前記携帯端末３が前記認証サーバー１から前記認証サーバー用表示画面２への通信を直接受信し、アプリケーションにより解読してもかまわない。
【００２１】
前記携帯端末３により解読された情報と前記携帯端末３に個人が設定した情報を元に生成した記号Ｂ（たとえばバーコードや２次元バーコードなどの複数次元バーコード）を前記携帯端末３の表示画面に表示させる。なお、この前記携帯端末３に個人が設定した情報は前記認証サーバー１に登録した個人が設定した情報と同じのものを前記携帯端末３に記憶させても直接手で入力してもかまわない。
【００２２】
前記携帯端末３の表示画面に表示した前記記号Ｂを前記認証サーバー用カメラ４に認識させるＮ３。前記認証サーバー用カメラ４から前記認証サーバー１と通信し、前記認証サーバー用カメラ４が認識した前記記号Ｂを受信するＮ４。このとき、前記認証サーバー１と前記認証サーバー用カメラ４は有線もしくは無線で通信する。なお、前記認証サーバー１が前記携帯端末３から前記携帯端末３が生成した記号３を直接通信して受信してもかまわない。
【００２３】
前記認証サーバー１は受信した前記記号Ｂを解読し、個人が設定した情報と比較する。一致した場合で個人が設定した情報が複数ある場合もしくは認証する回数を設定した場合は次の記号Ｃを前記認証サーバー用表示画面２に表示させて複数回再度認証動作を行なう。任意の設定した回数や順番がすべて一致した場合は、個人を認証できたとして認証時処理（たとえばロックを解除する等）を行い終了する。一致しなかった場合は認証動作を終了する。なお、複数回連続して認証動作が一致しなかった場合は前記認証サーバー１で報知手段を有しておいて報知等の動作を行なってもかまわない。
【００２４】
また、認証動作中で比較したときに一致しなくても一定の条件を満たしていれば一致したと見なすとしてもかまわない。なお、個人で設定した情報は複数の個人が共有して用いても、複数の個人がそれぞれ別の情報を設定していずれかであれば認証するとしてもかまわない。
【産業上の利用可能性】
【００２５】
以上のように、本発明の個人認証方法は、現在普及している携帯端末と認証サーバーのみで安価な個人認証システムを構築でき、かつ、通信費等の維持費もかからないため、簡易個人認証システムとしてさまざまな場所で利用できる。
【図面の簡単な説明】
【００２６】
【図１】本発明の個人認証方法の構成図
【図２】本発明の個人認証方法の認証サーバーと携帯端末のフローチャート
【符号の説明】
【００２７】
１  認証サーバー
２  認証サーバー用表示画面
３  携帯端末
４  認証サーバー用カメラ
【図１】
2006107085.tif 000003
【図２】
2006107085.tif 000004